(57)【要約】【課題】従来は共鳴周波数を検出するためには、スピーカから測定用信号を放射し、マイクロホンで受音し、このマイクロホンの受音信号を分析していた。しかし共鳴周波数の正確な検出のためには、この分析結果のみならず、最終的には、測定者が聞き分けて共鳴周波数を判断する必要があった。【解決手段】共鳴周波数検出装置２０は、音源手段２１と、信号合成切換手段２６，２７と、測定手段２５とを備えている。信号合成切換手段２６，２７は、測定用信号を出力する第１状態と、測定用信号とマイクロホン１４の出力信号の合成信号を出力する第２状態とに切り換え可能である。検出装置２０は、第１状態の出力で測定した第１の振幅周波数特性と、第２状態で測定した第２の振幅周波数特性との比較に基づいて、共鳴周波数を検出する。【選択図】      図６
2004239927.tif 000002
【特許請求の範囲】
【請求項１】
第１の振幅周波数特性を測定する第１工程と、第２の振幅周波数特性を測定する第２工程とを備え、
該第１の振幅周波数特性は、共鳴空間に配置されたスピーカから所定の測定用信号を拡声させて、該共鳴空間に配置されたマイクロホンによって受音して得られる振幅周波数特性であり、
該第２の振幅周波数特性は、該スピーカから該測定用信号と該マイクロホンの出力信号との合成信号を拡声させて、該マイクロホンによって受音して得られる振幅周波数特性であり、
該第１工程で測定された該第１の振幅周波数特性と該第２工程で測定された該第２の振幅周波数特性との比較に基づいて、該共鳴空間の共鳴周波数を検出する、共鳴周波数検出方法。
【請求項２】
該第１の振幅周波数特性と該第２の振幅周波数特性との差分から、該第１の振幅周波数特性に比べて該第２の振幅周波数特性の方が振幅が大きいピーク点の周波数を共鳴周波数として検出する、請求項１記載の共鳴周波数検出方法。
【請求項３】
該測定用信号が正弦波スイープ信号である、請求項１又は２記載の共鳴周波数検出方法。
【請求項４】
請求項１乃至３のいずれか一の項に記載の共鳴周波数検出方法によって複数の共鳴周波数を検出し、この検出された複数の共鳴周波数のうちから、ディップフィルタに設定すべきディップの中心周波数を、該第２の振幅周波数特性の振幅レベルの大きなものから選択する、共鳴周波数選択方法。
【請求項５】
請求項４記載の共鳴周波数選択方法によって複数の共鳴周波数を選択し、この選択された複数の共鳴周波数のうちから、ディップフィルタに設定すべきディップの中心周波数を、該第２の振幅周波数特性から該第１の振幅周波数特性を差し引いた振幅周波数特性における振幅レベルが大きなものから優先的に選択する、共鳴周波数選択方法。
【請求項６】
音源手段と、信号合成切換手段と、測定手段とを備え、
該音源手段はスピーカから出力させるための測定用信号を発生し、
該信号合成切換手段は、該音源手段からの測定用信号とマイクロホンからの出力信号とを入力可能であり、
該信号合成切換手段は、該測定用信号を出力する第１状態と、該測定用信号と該マイクロホンの出力信号との合成信号を出力する第２状態とに切り換え可能であり、
該測定手段は該マイクロホンの出力信号から振幅周波数特性を測定可能であり、
該測定手段が該信号合成切換手段の第１状態で測定した第１の振幅周波数特性と、該測定手段が該信号合成切換手段の第２状態で測定した第２の振幅周波数特性との比較に基づいて、共鳴周波数を検出する、共鳴周波数検出装置。
【請求項７】
該第１の振幅周波数特性と該第２の振幅周波数特性との差分から、該第１の振幅周波数特性に比べて該第２の振幅周波数特性の方が振幅が大きいピーク点の周波数を共鳴周波数として検出する、請求項６記載の共鳴周波数検出装置。
【請求項８】
該測定用信号が正弦波スイープ信号である、請求項６又は７記載の共鳴周波数検出装置。
【発明の詳細な説明】
【０００１】
【発明の属する技術分野】
この出願に係る発明は、共鳴空間の共鳴周波数を検出するための共鳴周波数検出方法  その装置  および  検出された共鳴周波数のうちから、ディップフィルタにディップの中心周波数として設定すべき周波数を選択する共鳴周波数選択方法に関する。
【０００２】
【従来の技術】
共鳴空間の共鳴周波数を検出する必要が生ずる場合がある。例えば、ホールや体育館等にスピーカ等の音響設備を設置し、スピーカからの拡声音を放射するとき、この空間（音響設備が配された拡声空間）の共鳴周波数のために、スピーカからの音楽や話声が聞き取りにくくなることがある。つまり、スピーカからの拡声音に共鳴周波数の成分が多く含まれると、該拡声空間においてこの成分の周波数で共鳴が起こるのである。共鳴音は「ウォンウォン・・・」とか「ファンファン・・・」というように聞こえる。この共鳴音は、本来、スピーカから放射しようとする音ではなく、スピーカからの音楽や話声を聞き取りにくくする。
【０００３】
このことを防止するには、拡声空間における共鳴周波数を検出し、音響設備においてスピーカよりも前段に、この共鳴周波数の成分を減衰させるようなディップフィルタ等を設けるとよい。するとこの拡声空間において共鳴が起こりにくくなり、スピーカからの音楽や話声が聞きやすくなる。このディップフィルタの周波数特性を決定するためには、まず、この拡声空間の共鳴周波数を検出しなければならない。
【０００４】
従来は、音響設備のオペレータや測定者が自らの聴覚に頼ってスピーカの拡声音や共鳴音を聞き分けて共鳴周波数を判断していた。
【０００５】
【発明が解決しようとする課題】
しかし、このような聞き分けによって共鳴周波数であるか否かを判断するには、ある程度の熟練、経験を要する。また、このような熟練、経験に頼る検出であれば、必ずしも正確な共鳴周波数の検出を行うことはできない。さらにこのことが、拡声空間等に設置される音響設備の自動測定・自動調整のための障害にもなっていた。
【０００６】
本願発明は、経験や熟練を必要とせず、正確に共鳴周波数を検出することができるような、共鳴周波数検出方法およびその装置を提供することを目的とする。また、検出された複数の共鳴周波数のうちからディップフィルタにディップの中心周波数として設定すべきものを客観的に選択することができるような共鳴周波数選択方法を提供することを目的とする。
【０００７】
【課題を解決するための手段】
上記課題を解決するために、この出願発明に係る共鳴周波数検出方法は、第１の振幅周波数特性を測定する第１工程と、第２の振幅周波数特性を測定する第２工程とを備え、該第１の振幅周波数特性は、共鳴空間に配置されたスピーカから所定の測定用信号を拡声させて、該共鳴空間に配置されたマイクロホンによって受音して得られる振幅周波数特性であり、該第２の振幅周波数特性は、該スピーカから該測定用信号と該マイクロホンの出力信号との合成信号を拡声させて、該マイクロホンによって受音して得られる振幅周波数特性であり、該第１工程で測定された該第１の振幅周波数特性と該第２工程で測定された該第２の振幅周波数特性との比較に基づいて、該共鳴空間の共鳴周波数を検出する（請求項１）。
【０００８】
また、上記課題を解決するために、この出願発明に係る共鳴周波数検出装置は、音源手段と、信号合成切換手段と、測定手段とを備え、該音源手段はスピーカから出力させるための測定用信号を発生し、該信号合成切換手段は、該音源手段からの測定用信号とマイクロホンからの出力信号とを入力可能であり、該信号合成切換手段は、該測定用信号を出力する第１状態と、該測定用信号と該マイクロホンの出力信号との合成信号を出力する第２状態とに切り換え可能であり、該測定手段は該マイクロホンの出力信号から振幅周波数特性を測定可能であり、該測定手段が該信号合成切換手段の第１状態で測定した第１の振幅周波数特性と、該測定手段が該信号合成切換手段の第２状態で測定した第２の振幅周波数特性との比較に基づいて、共鳴周波数を検出する（請求項６）。
【０００９】
かかる方法・装置において測定される第２の振幅周波数特性は、マイクロホンの出力信号がスピーカへ入力されるというフィードバックループを含む系の振幅周波数特性である。このフィードバックループにより、第２の振幅周波数特性では、第１の振幅周波数特性に比べ、共鳴空間の共鳴の特性がより大きく強調されて表れる。よって、第１の振幅周波数特性と第２の振幅周波数特性とを比較することにより、共鳴空間の共鳴周波数を正確に検出することができる。
【００１０】
上記共鳴周波数検出方法において、該第１の振幅周波数特性と該第２の振幅周波数特性との差分から、該第１の振幅周波数特性に比べて該第２の振幅周波数特性の方が振幅が大きいピーク点の周波数を共鳴周波数として検出するようにしてもよい（請求項２）。
【００１１】
また、上記共鳴周波数検出装置において、該第１の振幅周波数特性と該第２の振幅周波数特性との差分から、該第１の振幅周波数特性に比べて該第２の振幅周波数特性の方が振幅が大きいピーク点の周波数を共鳴周波数として検出するようにしてもよい（請求項７）。
【００１２】
また、上記共鳴周波数検出方法・装置において、該測定用信号としては正弦波スイープ信号が特に有効である（請求項３、請求項８）。
【００１３】
また上記課題を解決するために、この出願発明に係る共鳴周波数選択方法は、上記共鳴周波数検出方法によって複数の共鳴周波数を検出し、この検出された複数の共鳴周波数のうちから、ディップフィルタに設定すべきディップの中心周波数を、該第２の振幅周波数特性の振幅レベルの大きなものから選択する（請求項４）。この方法によれば、検出された複数の共鳴周波数のうちからディップフィルタにディップの中心周波数として設定すべきものを、経験や熟練によらずに客観的に選択することができる。
【００１４】
また上記課題を解決するために、この出願発明に係る他の共鳴周波数選択方法は、上記共鳴周波数選択方法によって複数の共鳴周波数を選択し、この選択された複数の共鳴周波数のうちから、ディップフィルタに設定すべきディップの中心周波数を、該第２の振幅周波数特性から該第１の振幅周波数特性を差し引いた振幅周波数特性における振幅レベルが大きなものから優先的に選択する（請求項５）。第２の振幅周波数特性では、第１の振幅周波数特性に比べ、共鳴空間の共鳴の特性がより大きく強調されて表れる。よって、第２の振幅周波数特性から第１の振幅周波数特性を差し引いた振幅周波数特性の振幅レベルの大きさに基づいてディップフィルタに設定すべきディップの中心周波数を選ぶと、拡声空間の共鳴防止のためにはより効果的である。
【００１５】
【発明の実施の形態】
この出願発明の実施形態を図面を参照しながら説明する。
【００１６】
図１は、拡声空間（例えば、コンサートホールや体育館）４０に設置された音響システムの概略構成図である。この音響システムは、音源装置２と、ディップフィルタ４と、アンプ１２と、スピーカ１３とを備えている。音源装置２は、例えば音楽ＣＤを再生するためのＣＤプレーヤのような演奏器機であってもよいし、マイクロホンであってもよい。図１では音源装置２を拡声空間４０の外側に表しているが、音源装置２は拡声空間４０内に設置されていてもよい。例えば、音源装置２は、拡声空間４０内に設置されたマイクロホンであってもよい。ディップフィルタ４は、音源装置２からの信号から特定の周波数の信号成分を除去してアンプ１２に送出するためのものである。ディップフィルタ４からの信号はアンプ１２で増幅されてスピーカ１３に送出され、拡声空間４０においてスピーカ１３から拡声される。
【００１７】
この拡声空間４０が共鳴周波数を有するとき、スピーカ１３からの拡声音に共鳴周波数の成分が多く含まれると、拡声空間４０において共鳴が起こり、スピーカ１３からの音楽や話声が聞き取りにくくなる。しかし、この音響システムにおいて、ディップフィルタ４に適切な周波数特性を設定すると、スピーカ１３からの拡声音の音質を損なうことなく、拡声空間４０における共鳴を防止することができる。
【００１８】
本実施形態では、共鳴空間４０において共鳴周波数を検出し、また、検出された共鳴周波数のうちから、ディップフィルタ４にディップの中心周波数として設定すべき周波数を選択するのであるが、まず最初に図２〜６を参照しつつ、共鳴空間４０において共鳴周波数を検出する方法・装置を説明する。
【００１９】
図２は、拡声空間（例えば、コンサートホールや体育館）４０において振幅周波数特性を測定するためのシステムＡの概略ブロック図である。このシステムＡは、測定用信号を発する音源手段たる発信器１１と、この発信器１１が発する信号を入力して電力増幅するアンプ１２と、このアンプ１２の出力信号を入力して拡声するスピーカ１３と、スピーカ１３が放射する拡声音を受音するマイクロホン１４と、マイクロホン１４の受音信号を入力する測定器１５とを備える。マイクロホン１４は騒音計であってもよい。
【００２０】
スピーカ１３とマイクロホン１４とは、拡声空間４０内に配置されている。マイクロホン１４は拡声空間４０内において、スピーカ１３から充分に距離を置いている。マイクロホン１４は、スピーカ１３からの直接音に対して、拡声空間４０内における反射音を充分大きなレベルで受音できる位置に配置されている。
【００２１】
発信器１１は測定用信号として、周波数が時間的に変化するような正弦波信号を発する。つまり発信器１１は、正弦波スイープ信号を発信する。この正弦波スイープ信号では、周波数スイープ中の各時点において正弦波のレベルは一定である。
【００２２】
測定器１５は、時間的に中心周波数が変化するようなバンドパスフィルタを有している。このバンドパスフィルタは、発信器１１が発信する正弦波スイープ信号の周波数の時間的変化に対応して、中心周波数を時間的に変化させる。よって測定器１５は、マイクロホン１４から入力する受音信号のレベルをこのバンドパスフィルタを介して検出することにより、その時点における周波数の振幅特性を測定することができる。
【００２３】
図３は、拡声空間４０において振幅周波数特性を測定するためのシステムＢの概略ブロック図である。このシステムＢは、図２のシステムＡに、ある信号の合成のための経路を付加しただけのものである。つまり図３のシステムＢは、測定用信号を発する音源手段たる発信器１１と、ミキシング装置１６と、ミキシング装置１６の出力信号を入力してこの信号を電力増幅するアンプ１２と、このアンプ１２の出力信号を入力して拡声するスピーカ１３と、スピーカ１３が放射する拡声音を受音するマイクロホン１４と、マイクロホン１４の受音信号を入力する測定器１５とを備える。
【００２４】
スピーカ１３とマイクロホン１４とは、拡声空間４０内において、図２のシステムＡにおけると同一の位置に配置されている。図３のシステムＢにおける、発信器１１、アンプ１２、スピーカ１３、マイクロホン１４、測定器１５は、図２のシステムＡにおけるこれら器機と同一のものである。
【００２５】
図３のシステムＢが図２のシステムＡと相違する点は、図２のシステムＡでは、アンプ１２が発信器１１から信号を入力していたのに対し、図３のシステムＢでは、アンプ１２がミキシング装置１６から信号を入力している点である。図３のミキシング装置１６は、発信器１１からの測定用信号（正弦波スイープ信号）と、マイクロホン１４からの受音信号とを入力し、これら入力した信号を合成（ミキシング）し、この合成信号（ミキシング信号）を出力する。
【００２６】
図４は、図２のシステムＡによって測定された拡声空間４０の振幅周波数特性と、図３のシステムＢによって測定された拡声空間４０の振幅周波数特性とを模式的に示す特性図である。図４において実線で示す曲線Ｃａが、図２のシステムＡによる振幅周波数特性であり、破線で示す曲線Ｃｂが、図３のシステムＢによる振幅周波数特性である。
【００２７】
図２のシステムＡも図３のシステムＢも、多数の周波数ポイントにおける振幅値を測定する。例えば測定対象となる周波数範囲において、１／１９２オクターブ間隔で振幅値を測定する。この多点（多数の周波数ポイント）での測定値を周波数軸上で平滑化せずに、拡声空間４０の振幅周波数特性として曲線Ｃａ，Ｃｂに表しても良いし、何らかの方法によって周波数軸上で平滑化して、曲線Ｃａ，Ｃｂに表しても良い。このときの平滑化の方法には種々あるが、例えば移動平均によって平滑化してもよい。例えば、多数の周波数ポイントの測定値に対して周波数軸上で９ポイントの移動平均を施してもよい。なお、曲線Ｃａとして平滑化されたものを用いる場合は、曲線Ｃｂについても平滑化されたものを用いるのが好ましい。この場合にはさらに、曲線Ｃａに関する平滑化の方法と同一の平滑化の方法によって曲線Ｃｂを得ることが好ましい。例えば曲線Ｃａを、周波数軸上での９ポイントの移動平均により得るのであれば、曲線Ｃｂも、周波数軸上での９ポイントの移動平均により得るのが好ましい。
【００２８】
図４の実曲線Ｃａの振幅周波数特性は、アンプ１２とスピーカ１３とマイクロホン１４とによる音響系の特性のみならず、拡声空間４０の共鳴の特性をも包含するものである。図４の破曲線Ｃｂの振幅周波数特性も、アンプ１２とスピーカ１３とマイクロホン１４とによる音響系の特性のみならず、拡声空間４０の共鳴の特性をも包含するものであるが、マイクロホン１４の出力信号がアンプ１２に入力されてスピーカ１３から出力されるというフィードバックループにより、拡声空間４０の共鳴の特性が実曲線Ｃａの振幅周波数特性よりも大きく強調されて表れている。よって、両曲線（実曲線Ｃａと破曲線Ｃｂ）との差から、拡声空間４０の共鳴の特性を知ることができる。
【００２９】
図５に示す周波数特性は、図４の破曲線Ｃｂの特性から実曲線Ｃａの特性を差し引いた特性である。図５において正の方向にピークを示す周波数は、周波数ｆ１、周波数ｆ２  および  周波数ｆ３である。拡声空間４０における共鳴周波数の数は一のみとは限らず、複数である場合も多い。よって、周波数ｆ１、ｆ２、ｆ３のうちの一のみが共鳴周波数である可能性もあるし、そのうちの複数が共鳴周波数である可能性もあるが、図５の特性から、共鳴周波数たる可能性のある周波数を客観的に検出することができる。
【００３０】
以上、図２〜５を参照しつつ、共鳴空間４０において共鳴周波数を検出する方法を説明した。
【００３１】
図６は、本願発明に係る共鳴周波数検出装置の一実施形態たる検出装置２０を含むシステムＣの概略ブロック図である。
【００３２】
このシステムＣは、検出装置２０と、この検出装置２０が発する信号を入力して電力増幅するアンプ１２と、このアンプ１２の出力信号を入力して拡声するスピーカ１３と、スピーカ１３が放射する拡声音を受音するマイクロホン１４とを備える。検出装置２０は、マイクロホン１４からの受音信号を入力している。スピーカ１３とマイクロホン１４とは、拡声空間（例えば、コンサートホールや体育館）４０内に配置されている。マイクロホン１４は拡声空間４０内において、スピーカ１３から充分に距離を置いている。マイクロホン１４は、スピーカ１３からの直接音に対して、拡声空間４０内における反射音を充分大きなレベルで受音できる位置に配置されている。
【００３３】
検出装置２０は、発信部２１と、測定・制御部２５と、ミキシング部２６と、開閉部２７とを備える。発信部２１は測定用信号を発する音源手段として機能する。測定・制御部２５は、検出装置２０内の各部を制御する制御手段として機能し、また、周波数特性の測定を行う測定手段としても機能する。また、ミキシング部２６と開閉部２７とが、信号合成切換手段として機能する。
【００３４】
このシステムＣでは、検出装置２０において、測定・制御部２５が音源部２１を制御して、音源部２１から測定用信号を出力させる。この測定用信号は、周波数が時間的に変化するような正弦波信号、つまり正弦波スイープ信号である。この正弦波スイープ信号では、周波数スイープ中の各時点において、正弦波のレベルは一定である。
【００３５】
ミキシング部２６は、音源部２１からの信号と、開閉部２７からの信号とを合成（ミキシング）して、その合成信号（ミキシング信号）を出力する。ミキシング部２６の出力信号はアンプ１２で電力増幅されてスピーカ１３に入力され、スピーカ１３から拡声音として拡声空間４０に放射される。拡声空間４０内の音はマイクロホン１４で受音され、マイクロホン１４の受音信号は、検出装置２０に入力される。
【００３６】
検出装置２０においては、このマイクロホン１４からの受音信号が測定・制御部２５と開閉部２７とに分岐されて送出される。
【００３７】
測定・制御部２５は、時間的に中心周波数が変化するようなバンドパスフィルタを有している。このバンドパスフィルタは、発信部２１が発信する正弦波スイープ信号の周波数の時間的変化に対応して、中心周波数を時間的に変化させる。よって測定・制御部２５は、マイクロホン１４から入力する受音信号のレベルをこのバンドパスフィルタを介して検出することにより、その時点における周波数の振幅特性を測定することができる。
【００３８】
測定・制御部２５は、開閉部２７の開閉を制御することができる。よって、開閉部２７を「開」状態にして、発信部２１からの測定用信号のみをスピーカ１３から拡声させることもできるし、開閉部２７を「閉」状態にして、発信部２１からの測定用信号とマイクロホン１４の受音信号との合成信号（ミキシング信号）をスピーカ１３から拡声させることもできる。
【００３９】
そして、開閉部２７の「開」状態であれば、図２のシステムＡにおいて測定装置１５が測定したと同様の振幅周波数特性を測定することができるし、開閉部２７の「閉」状態であれば、図３のシステムＢにおいて測定装置１５が測定したと同様の振幅周波数特性を測定することができる。
【００４０】
測定・制御部２５は、両状態（開閉部２７の「開」状態と「閉」状態）における振幅周波数特性を測定し、開閉部２７の「閉」状態における振幅周波数特性から「開」状態における振幅周波数特性を差し引く。さらに、差し引いた結果得られる周波数特性において正の方向にピークを示す周波数を検出する。このようにして、拡声空間４０の共鳴周波数たる可能性のある周波数を客観的に検出することができる。
【００４１】
以上、図２〜５を参照しつつ、また、図６を参照しつつ、共鳴空間４０において共鳴周波数を検出する方法・装置を説明した。
【００４２】
次に、このようにして検出された共鳴周波数のうちから、ディップフィルタ４（図１参照）にディップの中心周波数として設定すべき周波数を選択する方法を説明する。
【００４３】
先に、図５に示す周波数特性曲線Ｃｃから、正の方向にピークを示す周波数として、周波数ｆ１、周波数ｆ２  および  周波数ｆ３を得た。これら周波数が拡声空間４０の共鳴周波数である可能性が高い。この内から所定数の周波数を、ディップフィルタ４に除去周波数として設定すべきディップの中心周波数の候補として選ぶ。
【００４４】
具体的には、これら周波数の内から、図４における曲線Ｃｂの振幅レベルが大きなものから順番に、候補の周波数を選ぶ。
【００４５】
図７は、図４から曲線Ｃｂのみを取り出した特性図である。図７においては縦軸、横軸とも対数軸であり、縦軸は振幅レベルを横軸は周波数を示す。図７の曲線Ｃｂでは、周波数ｆ２における振幅レベルが最も大きく、ｆ３における振幅レベルがその次に大きく、ｆ１における振幅レベルがその次に大きい。ここで、候補として選ぶ周波数の数を「３」とするのであれば、周波数ｆ１、周波数ｆ２、周波数ｆ３のすべてが、候補の周波数となる。また、候補として選ぶ周波数の数を「２」とするのであれば、周波数ｆ２、周波数ｆ３が候補の周波数となる。
【００４６】
そして、図７の曲線Ｃｂの振幅レベルの大きさに基づく優先順位によって、ディップフィルタ４に設定すべきディップの中心周波数を決定してもよい。よって、図１のディップフィルタ４に設定すべきディップの数が、例えば「２」であれば、周波数ｆ２と周波数ｆ３とを、ディップフィルタ４のディップの中心周波数として設定する。また例えば、図１のディップフィルタ４に設定すべきディップの数が「１」であれば、周波数ｆ２のみをディップフィルタ４のディップの中心周波数として設定する。
【００４７】
このように、図７の曲線Ｃｂの振幅レベルの大きさに基づく優先順位によって、ディップフィルタ４に設定すべきディップの中心周波数を最終的に決定してもよいが、図７の曲線Ｃｂの振幅レベルの大きさに基づく優先順位によってディップフィルタ４に設定すべき複数のディップの中心周波数の候補を選んだ上で、さらに図５の曲線Ｃｃにおける振幅レベルの大きさに基づいて、候補（ディップフィルタに設定すべきディップの中心周波数の候補）の順位を付け替えても良い。
【００４８】
今、図７の曲線Ｃｂの振幅レベルの大きさに基づく選択によって、周波数ｆ１、周波数ｆ２、周波数ｆ３のすべてが候補の周波数となっているとする。次に、これら候補の周波数（周波数ｆ１，ｆ２，ｆ３）に候補の順位を付け替える。順位は、図５の振幅周波数特性曲線Ｃｃにおける振幅レベルが大きいものから高く付けるようにする。周波数ｆ１，ｆ２，ｆ３のうち、図５の曲線Ｃｃにおける振幅レベルが最も大きいのは周波数ｆ３であり、その次に振幅レベルが大きいのは周波数ｆ２であり、その次に振幅レベルが大きいのは周波数ｆ１である。よって、周波数ｆ３が第１候補の周波数となり、周波数ｆ２が第２候補の周波数となり、周波数ｆ１が第３候補の周波数となる。
【００４９】
図１のディップフィルタ４に設定すべきディップの数が、例えば「２」であれば、周波数ｆ３と周波数ｆ２とを、ディップフィルタ４のディップの中心周波数として設定する。また例えば、図１のディップフィルタ４に設定すべきディップの数が「１」であれば、周波数ｆ３のみをディップフィルタ４のディップの中心周波数として設定する。
【００５０】
このようにして、経験や熟練を必要とせず、ディップフィルタ４に設定すべきディップの中心周波数を客観的に選択することができる。そうすることによって、図１の拡声空間４０における共鳴を有効に防止することができる。
【００５１】
なお、図７の曲線Ｃｂの振幅レベルの大きさに基づく優先順位によってディップフィルタ４に設定すべき複数のディップの中心周波数の候補を選んだ上で、さらに図５の曲線Ｃｃにおける振幅レベルの大きさに基づいて、候補（ディップフィルタに設定すべきディップの中心周波数の候補）の順位を付け替えたのは次の理由による。すなわち、図７の曲線Ｃｂは拡声空間４０の共鳴による特性のみならず、測定系（アンプ１２、スピーカ１３、マイクロホン１４等からなる系）の振幅周波数特定をも包含しており、拡声空間４０の共鳴の特性のみならず、測定系の振幅周波数特性にも大きく依存した特性となっている。これに対して図５の曲線Ｃｃは、拡声空間４０の共鳴による特性が顕著に表れており、測定計の振幅周波数特性の影響は小さい。よって、図５の曲線Ｃｃにおける振幅レベルの大きさに基づいてディップフィルタ４に設定すべきディップの中心周波数を最終的に決定した方が、拡声空間４０の共鳴防止のためにはより効果的だからである。
【００５２】
ディップフィルタに設定すべきディップの数や検出された共鳴周波数の数がより多数である場合にも、上記の共鳴周波数選択方法は有効である。例えば、検出された共鳴周波数が２００以上ある場合に、図７の曲線Ｃｂにおいて振幅レベルの大きなものから１２０の周波数を候補として残し、残りの周波数は候補から除外するようにしてもよい。そしてさらに、この１２０の周波数に対して図５の曲線Ｃｃにおける振幅レベルの大きさに基づいて候補の順位を付け替え、付け替えられた順位において上位の８位までの周波数をディップフィルタにディップの中心周波数として設定するようにしてもよい。
【００５３】
以上、図１〜７に基づいて、本願発明の実施形態を説明した。
【００５４】
上記実施形態では、音響設備が配される拡声空間における共鳴周波数の検出に、本願発明の共鳴周波数検出方法およびその装置を適用する例を示したが、本願発明の共鳴周波数検出方法およびその装置はこのような拡声空間のみならず、共鳴周波数検出が必要となるあらゆる空間（共鳴空間）に適用できる。例えば、液体タンク内の液体充填量を知るために、該タンクにおいて液体で充たされない空間の容積を、共鳴周波数を検出することによって測定する技術にも適用できる。
【００５５】
【発明の効果】
本発明は、以上説明したような形態で実施され、経験や熟練を必要とせず、正確に共鳴周波数を検出することができる。また、検出された共鳴周波数のうちから、ディップフィルタにディップの中心周波数として設定すべき周波数を、客観的に選択することができる。
【図面の簡単な説明】
【図１】拡声空間に設置された音響システムの概略構成図である。
【図２】拡声空間において振幅周波数特性を測定するためのシステムの概略ブロック図である。
【図３】拡声空間において振幅周波数特性を測定するためのシステムの概略ブロック図である。
【図４】図１のシステムによって測定された拡声空間の振幅周波数特性と、図２のシステムによって測定された拡声空間の振幅周波数特性とを模式的に示す特性図である。
【図５】図４の破曲線から実曲線を差し引いた周波数特性図である。
【図６】本願発明に係る共鳴周波数検出装置の一実施形態たる検出装置を含むシステムの概略ブロック図である。
【図７】図４から曲線Ｃｂのみを取り出した特性図である。
【符号の説明】
２  音源装置
４  ディップフィルタ
１１  発信器
１２  アンプ
１３  スピーカ
１４  マイクロホン
１５  測定器
１６  ミキシング装置
２０  検出装置
２１  発信部
２５  測定・制御部
２６  ミキシング部
２７  開閉部
４０  拡声空間
【図１】
2004239927.tif 000003
【図２】
2004239927.tif 000004
【図３】
2004239927.tif 000005
【図４】
2004239927.tif 000006
【図５】
2004239927.tif 000007
【図６】
2004239927.tif 000008
【図７】
2004239927.tif 000009